(57)【要約】【課題】  メーカが異なっても窓枠に通常備わっている網戸用レールを利用して取付けることができる。目隠し操作が簡単にできる。【解決手段】  窓枠１の屋外側に設けられた網戸レール２に取付け可能で窓枠１とほぼ同じ大きさの枠体３と、枠体３の巾方向の片側半分に取付けられる第１面状部材４と、枠体３の屋外側に設けた２列のレール５、６と、該２列のレール５、６に引き違い自在に取付けられる第２面状部材７と第３面状部材８とよりなる。第１面状部材４、第２面状部材７、第３面状部材８のうちの一つが網戸９で、他の二つが目隠し部材１０である。【選択図】        図１
2010144491.tif 000002
【特許請求の範囲】
【請求項１】
窓枠の屋外側に設けられた網戸レールに取付け可能で窓枠とほぼ同じ大きさの枠体と、該枠体の巾方向の片側半分に取付けられる第１面状部材と、上記枠体の屋外側に設けた２列のレールと、該２列のレールに引き違い自在に取付けられる第２面状部材と第３面状部材とを備え、上記第１面状部材、第２面状部材、第３面状部材のうちの一つが網戸で、他の二つが目隠し部材であることを特徴とする窓用目隠し装置。
【発明の詳細な説明】
【技術分野】
【０００１】
本発明は、浴室などの窓枠に取付けて目隠しをすることができる窓用目隠し装置に関するものである。
【背景技術】
【０００２】
従来から、窓の屋外側に取付けられる窓用目隠し装置としては、例えば、特許文献１に示されるようなものが知られている。
【０００３】
この特許文献１に示された従来例の窓用目隠し装置は、上下方向に案内溝と固定片とを備えた一対の縦方向に長いガイド枠の上端間に、遮光シートを巻取り収納するボックスを架設して取付け、遮光シートの下端部に設けたボトムバーの左右両端部に設けた非案内部材をガイド枠に設けた案内溝内に上下方向に移動自在に嵌め込んで構成してある。
【０００４】
上記構成の目隠し装置は、一対のガイド枠に設けた固定片を窓枠の縦枠又は壁に固着具により固着することで取付けるようになっている。
【０００５】
そして、目隠しをする場合は、室内から手を出してボトムバーを手に持って下に引き降ろして、非案内部材をガイド枠に設けた案内溝の下端まで移動させることで、ボックスから遮光シートを引き出して窓枠の屋外側を遮光シートで目隠しするようになっている。
【０００６】
また、目隠ししない場合は、室内から手を出してボトムバーを手に持って上に引き上げて、非案内部材をガイド枠に設けた案内溝の上端まで移動させることで、遮光シートをボックス内に巻き込み収納するようになっている。
【０００７】
しかしながら、窓枠の縦枠の形状は各メーカ毎に異なり、縦枠の屋外側に上記ガイド枠の固定片が取付けできるような構造となっているかどうかは不明であり、メーカによっては、窓枠の縦枠の屋外側の端部に固定片の取付けが出来ない場合がある。
【０００８】
また、上記従来例にあっては、非案内部材をガイド枠に設けた案内溝の上端まで移動させた状態、つまり、遮光シートの全体をボックスに巻き取った状態では、ボトムバーが窓枠の上端とほぼ同じ高さに位置しており、このため、室内から手を出してボトムバーを手で掴んで引き下げようとしても手が届かない場合が生じたり、あるいは手が届いても、背伸びしてボトムバーを手で掴まなければならないという事態が生じ、特に、子供や老人では操作がし難いという問題がある。更に、浴室の浴槽に対応した部分に設けた窓枠の外側に上記従来の窓用目隠し装置を取付けた場合、一般に浴槽の底は床よりも低いため、よりいっそうボトムバーに手が届かない事態が生じる可能性がある。
【特許文献１】特開平２００２−２５６７８６号公報
【発明の開示】
【発明が解決しようとする課題】
【０００９】
本発明は上記の従来の問題点に鑑みて発明したものであって、メーカが異なっても窓枠に通常備わっている網戸用レールを利用して取付けることができ、また、目隠し操作も簡単にできる窓用目隠し装置を提供することを課題とするものである。
【課題を解決するための手段】
【００１０】
上記課題を解決するために本発明に係る窓用目隠し装置は、窓枠１の屋外側に設けられた網戸レール２に取付け可能で窓枠１とほぼ同じ大きさの枠体３と、該枠体３の巾方向の片側半分に取付けられる第１面状部材４と、上記枠体３の屋外側に設けた２列のレール５、６と、該２列のレール５、６に引き違い自在に取付けられる第２面状部材７と第３面状部材８とを備え、上記第１面状部材４、第２面状部材７、第３面状部材８のうちの一つが網戸９で、他の二つが目隠し部材１０であることを特徴とするものである。
【００１１】
このような構成とすることで、窓用目隠し装置Ａの枠体３を、殆どの窓枠１に本来備わっている網戸レール２を利用して取付けることで、窓用目隠し装置Ａを窓枠１の屋外側に簡単に取付けることができる。これにより、二つの目隠し部材１０のうち一方を枠体３の左右方向の片側半分に位置させると共に二つの目隠し部材１０の他方を枠体３の左右方向の他の片側半分に位置させることで、窓枠１を外側から目隠しすることができる。また、二つの目隠し部材１０を重ね、この重ねた二つの目隠し部材１０を枠体３の左右方向の片側半分に位置させると共に網戸９を枠体３の左右方向の他の片側半分に位置させることで、網戸９を介して通風ができる。
【発明の効果】
【００１２】
本発明は、上記のように窓枠の屋外側に設けられた網戸レールに窓用目隠し装置の枠体を嵌め込みにより取付けることができるので、メーカが異なっても窓枠に通常備わっている網戸用レールを利用して窓用目隠し装置を簡単に取付けることができる。また、二つの目隠し部材のうち一方を枠体の左右方向の片側半分に位置させると共に二つの目隠し部材の他方を枠体の左右方向の他の片側半分に位置させることで、窓枠を外側から目隠しすることができ、目隠しが簡単な操作でできる。また、二つの目隠し部材を重ね、この重ねた二つの目隠し部材を枠体の左右方向の片側半分に位置させると共に網戸を枠体の左右方向の他の片側半分に位置させることで、簡単な操作で通風ができる。
【発明を実施するための最良の形態】
【００１３】
以下、本発明を添付図面に示す実施形態に基いて説明する。
【００１４】
窓枠１には引き違い障子１１を開閉自在に取付けてある。また、窓枠１の屋外側端部には網戸レール２が設けてある。
【００１５】
この窓枠１は例えば浴室の窓として取付けられる。
【００１６】
窓枠１の屋外側に取付ける窓用目隠し装置Ａは、図１、図２に示すように、窓枠１とほぼ同じ大きさの枠体３と、該枠体３の巾方向（左右方向）の片側半分に取付けられる第１面状部材４と、上記枠体３の屋外側に設けた２列のレール５、６と、該２列のレール５、６に引き違い自在に取付けられる第２面状部材７と第３面状部材８とで構成してある。
【００１７】
枠体３の上枠部３ａ及び下枠部３ｂにはそれぞれ、上記窓枠１の屋外側端部に設けた網戸レール２（上網戸レール２ａ、下網戸レール２ｂ）に取付けることができる取付け部１２が設けてある。
【００１８】
図１に示す実施形態では、枠体３の上枠部３ａに断面Ｕ字状をした上嵌め込み部１３を設けると共に下枠部３ｂに断面逆Ｕ字状をした下嵌め込み部１４を設けて、該上嵌め込み部１３、下嵌め込み部１４をそれぞれ取付け部１２としてある。
【００１９】
つまり、図１においては、上嵌め込み部１３を上網戸レール２ａに嵌め込むと共に下嵌め込み部１４を下網戸レール２ｂに嵌め込むことで枠体３を網戸レール２に取付けるようになっている。この場合の嵌め込みによる取付けに当たっては、例えば、けんどん式により嵌め込むことができる。
【００２０】
窓用目隠し装置Ａに取付けられる上記第１面状部材４、第２面状部材７、第３面状部材８は、一つが網戸９で、他の二つが目隠し部材１０である。
【００２１】
添付図面に示す実施形態においては枠体３の巾方向の片側半分に網戸９が固定的に設けてあり、枠体３の巾方向の他の片側半部は開口となっている。また、枠体３に設けた２列のレール５、６には目隠し部材１０が引き違い状に取付けてある。
【００２２】
目隠し部材１０としては、例えば、矩形枠に目隠し用のルーバを取付けたもの、あるいは、不透明のパネル状のもの等が採用できる。
【００２３】
上記の構成の窓用目隠し装置Ａは既設の窓枠１に後付けにより取付けるものであり、既設の窓枠１に備わっている網戸レール２を利用して後付けで簡単に取付けることができる。
【００２４】
しかも、メーカが異なっても通常窓枠１には網戸レール２が備わっているので、確実に網戸レール２を利用して窓用目隠し装置Ａを取付けることができることになる。
【００２５】
上記のように窓用目隠し装置Ａを窓枠１に取付けた場合、室内への通気を必要とする時は、網戸９と対向する部分が開口となるように窓枠１に設けた引き違い障子１１を開き、更に、窓用目隠し装置Ａに取付けた二つの目隠し部材１０をスライドさせて、図３に示すように網戸９と対向する部分が開口となるように重ねる。これにより網戸９を介して室内に通気することができる。
【００２６】
一方、室内の目隠しをしたい時は、図４に示すように二つの目隠し部材１０をスライドさせて閉じることで、室内の目隠しをすることができる。
【００２７】
本発明においては、上記のように通風可能な状態にしたり、目隠し状態にするに当たって、上記のように目隠し部材１０の操作をして行うのであるが、目隠し部材１０の操作に当たっては、第２面状部材７と第３面状部材８が引き違い方式であるからスライド操作するのみでよくて、背伸びなどすることなく操作ができ、背の低い子供や老人であっても容易に操作することができる。
【００２８】
ところで、浴室の窓は窓枠１に取付ける障子１１に曇りガラスなどを使用して外から見えないようにしているが、夜、暗い時に浴室内に照明をつけて入浴すると、人影が映ってしまうが、上記のように、目隠し部材１０で目隠しをすることで、特に浴室内が外から見えず、好ましいものとなる。
【００２９】
上記実施形態においては、枠体３の巾方向の片側半分に網戸９を固定的に設け、枠体３に設けた２列のレール５、６に二つの目隠し部材１０を引き違い状に取付けた例が示してあるが、枠体３の巾方向の片側半分に一つの目隠し部材１０を固定的に設け、枠体３に設けた２列のレール５、６に網戸９と、他の一つの目隠し部材１０を引き違い状に取付けてもよい。
【図面の簡単な説明】
【００３０】
【図１】本発明の断面図である。
【図２】同上の窓用目隠し装置の斜視図である。
【図３】同上の窓用目隠し装置における通風状態を示す網戸、二つの目隠し部材の位置関係を示す説明図である。
【図４】同上の窓用目隠し装置における目隠し状態を示す網戸、二つの目隠し部材の位置関係を示す説明図である。
【符号の説明】
【００３１】
１  窓枠
２  網戸レール
３  枠体
４  第１面状部材
５  レール
６  レール
７  第２面状部材
８  第３面状部材
９  網戸
１０  目隠し部材
【図１】
2010144491.tif 000003
【図２】
2010144491.tif 000004
【図３】
2010144491.tif 000005
【図４】
2010144491.tif 000006